(57)【要約】【課題】屋根の軒先での物品の吊り下げを、建物の外観に支障をきたすことなく、また、長尺物の場合、その機能に障害が生じないように実現しつつ、鼻隠しなどの取付部位への施工性が良好である軒樋吊具を提供すること。【解決手段】アーム５が固定プレート４に立設され、固定プレートには、固着具挿入孔１０が形成されている吊具本体２と、フック１２が、プレート本体１１の一端部から外側に向かって延設され、プレート本体には、固定プレートに形成された固着具挿入孔に対向して配置可能とされた長孔２１が形成されているフック付きプレート３とを備え、プレート本体は、フックの延設方向の長さが吊具本体の固定プレートよりも長く、かつフックが延設された一端部と対向する他端部を有し、これら一端部および他端部の両方から吊具保持片１７ａ、１７ｂがプレート本体の内側に向かって延設されている。【選択図】図１
2011127336.tif 000002
【特許請求の範囲】
【請求項１】
軒樋を係止して吊持するアームが固定プレートに立設され、固定プレートには、固着具挿入孔が、アームを挟んで両側に表裏を貫通して形成されている吊具本体と、
物品を吊持可能としたフックが、吊具本体の固定プレートに当接可能なプレート本体の一端部からプレート本体の外側に向かって延設され、プレート本体には、吊具本体の固定プレートに形成された固着具挿入孔に対向して配置可能とされた長孔が表裏を貫通して形成されているフック付きプレートとを備え、
フック付きプレートのプレート本体は、フックの延設方向の長さが吊具本体の固定プレートよりも長く、かつフックが延設された一端部と対向する他端部を有し、これら一端部および他端部の両方から吊具保持片がプレート本体の内側に向かって延設され、
吊具本体の固定プレートが吊具保持片の間に挿入され、吊具本体の固定プレートの一端部とこの一端部に対向する他端部が、それぞれ、吊具保持片に係止され、吊具本体とフック付きプレートが一体となり、前記固着具挿入孔と前記長孔が連通する
ことを特徴とする軒樋吊具。
【請求項２】
前記吊具保持片の先端部には、吊具本体の固定プレートの挿入方向に沿って斜めに傾斜する傾斜面が形成されていることを特徴とする請求項１に記載の軒樋吊具。
【請求項３】
前記長孔には、その内周縁部に固着具仮保持片が設けられ、この固着具仮保持片が存在する部分の長孔の幅が、固着具の外径よりも狭くなっていることを特徴とする請求項１または２に記載の軒樋吊具。
【発明の詳細な説明】
【技術分野】
【０００１】
本発明は、建物の屋根の軒先に軒樋を取り付けるための軒樋吊具に関する。
【背景技術】
【０００２】
屋根の軒下に物干し竿やすだれ、プランターなどがしばしば吊り下げられて使用されている。これらの物品の吊り下げを建物の外観に支障をきたすことなく実現し、また、物干し竿などの長尺物をほぼ水平に配置させ、その機能に障害が生じないようにすることが考慮されている。
【０００３】
本出願人は、下記特許文献１に軒先構造を提案している。この軒先構造では、軒樋を吊持する軒樋吊具の鼻隠し固定部と鼻隠しの間に介在させた介装板に上下に延びる縦長穴を穿設し、軒樋吊具の鼻隠し固定部に穿設した貫通孔から介装板の縦長穴を通じて固着具を取り付け、軒樋吊具と介装板を鼻隠しに固定する。また、軒樋吊具の鼻隠し固定部より下方に位置させた介装板の下端部には、物品を吊持するフック部を設けている。
【０００４】
上記軒先構造では、フック部が設けられた介装板が、軒樋吊具の鼻隠し固定部と鼻隠しの間に介在しているので、介装板の固定位置の調整によって、フック部に吊持する物品の高さを軒樋吊具の配置位置に制限されずに所望の高さとすることができる。物干し竿などの長尺物を吊り下げる場合、吊持する複数のフック部の取付高さを同一にすることができ、軒樋の排水勾配に制限を受けずに水平に長尺物を屋根の軒下に吊り下げることがでる。このため、物干し竿などの長尺物の機能に障害が生じるのを抑制することができる。
【０００５】
また、介装板は、軒樋吊具とともに鼻隠しに固定されるので、介装板の露出面積を十分に抑えることができ、介装板が目立たず、しかも、フック部が、軒樋吊具の一部であるように視認され、建物の外観に支障はほとんどきたさない。
【先行技術文献】
【特許文献】
【０００６】
【特許文献１】特開２００９−１９４０６号公報
【発明の概要】
【発明が解決しようとする課題】
【０００７】
しかしながら、上記特許文献１に記載した軒先構造には、その後の検討により改善すべき課題が見出されている。
【０００８】
すなわち、上記軒先構造では、介装板を軒樋吊具と同時に鼻隠しに取り付ける必要があり、介装板を軒樋吊具と鼻隠しの間に挟みこむように強く押さえつけていないと、介装板が上下左右の少なくともいずれか一方向にずれることがある。取付作業では、通常、一方の手で介装板がずれないようにしっかりと軒樋吊具を鼻隠し側に押さえつけながら、他方の手でドリルなどの工具を操作してネジなどの固着具によって固定する必要がある。また、固着具による固定に際し、固着具が不意に落下することが起こりやすい。このように、軒樋吊具の施工性は、必ずしも良好であるとはいいにくい。
【０００９】
本発明は、以上のとおりの事情に鑑みてなされたものであり、屋根の軒先での物品の吊り下げを、建物の外観に支障をきたすことなく、また、長尺物の場合、その機能に障害が生じないように実現しつつ、鼻隠しなどの取付部位への施工性が良好である軒樋吊具を提供することを課題としている。
【課題を解決するための手段】
【００１０】
本発明は、上記の課題を解決するために、以下の特徴を有している。
【００１１】
第１の発明は、軒樋を係止して吊持するアームが固定プレートに立設され、固定プレートには、固着具挿入孔が、アームを挟んで両側に表裏を貫通して形成されている吊具本体と、物品を吊持可能としたフックが、吊具本体の固定プレートに当接可能なプレート本体の一端部からプレート本体の外側に向かって延設され、プレート本体には、吊具本体の固定プレートに形成された固着具挿入孔に対向して配置可能とされた長孔が表裏を貫通して形成されているフック付きプレートとを備え、フック付きプレートのプレート本体は、フックの延設方向の長さが吊具本体の固定プレートよりも長く、かつフックが延設された一端部と対向する他端部を有し、これら一端部および他端部の両方から吊具保持片がプレート本体の内側に向かって延設され、吊具本体の固定プレートが吊具保持片の間に挿入され、吊具本体の固定プレートの一端部とこの一端部に対向する他端部が、それぞれ、吊具保持片に係止され、吊具本体とフック付きプレートが一体となり、前記固着具挿入孔と前記長孔が連通することを特徴としている。
【００１２】
第２の発明は、上記第１の発明の特徴において、前記吊具保持片の先端部には、吊具本体の固定プレートの挿入方向に沿って斜めに傾斜する傾斜面が形成されていることを特徴としている。
【００１３】
第３の発明は、上記第１または第２の発明の特徴において、前記長孔には、その内周縁部に固着具仮保持片が設けられ、この固着具仮保持片が存在する部分の長孔の幅が、固着具の外径よりも狭くなっていることを特徴としている。
【発明の効果】
【００１４】
上記第１の発明によれば、吊具本体の固定プレートが吊具保持片の間に挿入され、吊具本体の固定プレートの一端部とこの一端部に対向する他端部が、それぞれ、吊具保持片に係止され、吊具本体とフック付きプレートが一体となる。吊具本体およびフック付きプレートは、一体となった状態において鼻隠しなどの取付部位に取り付けることができる。このため、フック付きプレートを吊具本体と鼻隠しなどの取付部位との間に強く押さえつけながら取付作業を行わなくて済み、軒樋吊具の鼻隠しなどの取付部位への施工性が良好となる。また、固着具の不意の落下が起こりにくくもなり、取付作業は容易となる。
【００１５】
また、フック付きプレートは、吊具本体とともに鼻隠しなどの取付部位に固定されるので、フック付きプレートの露出面積を十分に抑えることができ、フック付きプレートが目立つことはほとんどない。しかも、フックが、吊具本体の一部であるように視認され、建物の外観に支障はほとんどきたさない。
【００１６】
さらに、フック付きプレートでは、フックの延設方向の長さが吊具本体の固定プレートよりも長いので、フック付きプレートを吊具本体の係止を解除せずに吊具本体に対してずらすことができ、フック付きプレートの固定位置の調整が可能である。したがって、フックに吊持する物品の高さを軒樋吊具の配置位置に制限されずに所望の高さとすることができ、物干し竿などの長尺物を吊り下げる場合、軒樋の排水勾配に制限を受けずに水平に長尺物を屋根の軒下に吊り下げることがでる。このため、物干し竿などの長尺物の機能に障害が生じるのを抑制することができる。
【００１７】
上記第２の発明によれば、上記第１の発明の効果に加え、吊具保持片の先端部には、吊具本体の固定プレートの挿入方向に沿って斜めに傾斜する傾斜面が形成されているので、吊具本体の挿入を容易に行うことができる。
【００１８】
上記第３の発明によれば、上記第１または第２の発明の効果に加え、プレート本体に形成された長孔には、その内周縁部に固着具仮保持片が設けられ、この固着具仮保持片が存在する長孔の幅が、固着具の外径よりも狭くなっているので、取付け時における固着具の落下を起こりにくくすることができる。
【図面の簡単な説明】
【００１９】
【図１】本発明の軒樋吊具の一実施形態を示した分解斜視図である。
【図２】図１に示した軒樋吊具におけるフック付きプレートを示した側面図および要部拡大側面図である。
【図３】図１に示した軒樋吊具の取付けについて示した要部断面図である。
【図４】（ａ）、（ｂ）、（ｃ）は、それぞれ、図１に示した軒樋吊具の組み付け方法を示した工程側面図である。
【図５】図１に示した軒樋吊具の組み付け状態を示した斜視図である。
【図６】図１に示した軒樋吊具による軒樋の吊持について示した要部断面図である。
【発明を実施するための形態】
【００２０】
上記のとおり、図１は、本発明の軒樋吊具の一実施形態を示した分解斜視図である。図２は、図１に示した軒樋吊具におけるフック付きプレートを示した側面図および要部拡大側面図である。図３は、図１に示した軒樋吊具の取付けについて示した要部断面図である。
【００２１】
軒樋吊具１は、吊具本体２とフック付きプレート３を備えている。吊具本体２とフック付きプレート３は別体とされているが、一体に組み付けが可能とされている。
【００２２】
吊具本体２は、略矩形板状の固定プレート４を備え、固定プレート４は縦置きに配置される。
【００２３】
固定プレート４の表面側にはアーム５が立設され、アーム５は、固定プレート４に対し略直交している。アーム５は、後述するように軒樋を係止して吊持するものであり、固定プレート４と反対側に位置する先端部には、斜め上方に、固定プレート４から離間するように突出する前耳係止部６が設けられている。また、アーム５には、固定プレート４側の端部において固定プレート４に対向する下端部に、後耳係止部７が設けられている。さらに、アーム５では、前耳係止部６寄りの部分において下方に延びる片状の底壁当接部８が設けられている。底壁当接部８は、軒樋の断面形状に対応して、下端部において断面が略Ｌ字状に折り曲げられている。底壁当接部８は、前耳係止部６および後耳係止部７による軒樋の吊持において、軒樋の変形を抑えるとともに、底壁当接部８の下端が軒樋の底壁部の内面に当接することによって、軒樋の取付けの位置決めをするなどの機能を有している。
【００２４】
アーム５には、また、強度を保持しつつ、軽量化を図るために、左右方向に貫通する開口９ａ、９ｂ、９ｃが部分的に形成されている。
【００２５】
固定プレート４には、アーム５を挟んで左右両側の側端部に、表裏を貫通する、ネジｓなどの固着具の挿入を可能とした固着具挿入孔１０が形成されている。固着具挿入孔１０は円孔であり、固定プレート４の左右両側端部にそれぞれ３つずつ形成され、固定プレート４の上端部から略中央部にかけて縦列して配置されている。
【００２６】
このような吊具本体２は、金属または十分な耐久性と強度を有するポリカーボネートなどの樹脂などから形成することができる。また、軒樋吊具１では、吊具本体２に既知のものを適用することも可能としている。つまり、吊具本体２は、固定プレート４およびアーム５を有している限り、その各々には、様々な態様のものを採用することができる。
【００２７】
一方、フック付きプレート３は、その平面形状が、吊具本体２の固定プレート４の平面形状に対応した略矩形板状のプレート本体１１を備えている。プレート本体１１は、固定プレート４と同様に、縦置きに配置される。フック付きプレート３は、プレート本体１１において固定プレート４に当接可能とされている。
【００２８】
プレート本体１１の横幅における略中央部では、鉤型のフック１２が、プレート本体１１の下端から外側に向かって、すなわち、下方に延設されている。フック１２は、プレート本体１１から下方にまっすぐ延びる垂れ片１３と、垂れ片１３の下端から断面略Ｕ字型に折り曲がり、垂れ片１３の前方に位置するとともに上方に延びる屈曲片１４と、屈曲片１４の上端から垂れ片１３に対向して上方に延びる、断面略Ｊ字型の起立片１５とから形成されている。起立片１５と垂れ片１３の間の間隔は、起立片１５の上端部における間隔ｃ１が、下端部における間隔ｃ２よりも小さく、吊り下げる物品の抜け外れをより効果的に抑制している。
【００２９】
このようなフック１２では、プレート本体１１との連結部から起立片１５の上端に対向するまでの部分において起立片１５側に突出し、隆起部１６が設けられている。隆起部１６は、フック１２の強度を高め、物品の重量にともなう荷重によって変形や破断などを起こりにくくしている。
【００３０】
また、プレート本体１１では、フック１２が延設されている下端部と、下端部に対向する上端部とから、断面略Ｌ字型の吊具保持片１７ａ、１７ｂが、プレート本体１１の内側に向かって延設されている。吊具保持片１７ａ、１７ｂは、ほぼ上下対称に配置されている。吊具保持片１７ａ、１７ｂはともに、プレート本体１１に対して略垂直に前方に延びる横片１８と、横片１８の前端部において略直角に折り曲がり、プレート本体１１に対向して延びる縦片１９とから形成されている。プレート本体１１の下端部に設けられ、下側に位置する吊具保持片１７ａでは、縦片１９は上方に延び、一方、プレート本体１１の上端部に設けられ、上側に位置する吊具保持片１７ｂでは、縦片１９は下方に延びている。
【００３１】
このような吊具保持片１７ａ、１７ｂは、プレート本体１１の左右の側端部に２つずつ配置されている。また、下側に位置する吊具保持片１７ａでは、縦片１９の先端部に前から後に向かって斜め上方に傾斜する傾斜面２０ａが形成されている。上側に位置する吊具保持片１７ｂでは、縦片１９の先端部に前から後に向かって斜め上方に傾斜する傾斜面２０ｂが形成されている。
【００３２】
さらに、プレート本体１１では、左右両側端部において、吊具本体２の固定プレート４に形成された固着具挿入孔１０に対応して長孔２１が表裏を貫通して形成されている。長孔２１は、プレート本体１１において、フック１２の延設方向、すなわち、縦方向に長く、上端部から下端部まで延びている。長孔２１は、吊具本体２とフック付きプレート３を一体に組み付ける際に、固定プレート４とプレート本体１１が当接するとき、固着具挿入孔１０に対向して配置される。
【００３３】
なお、プレート本体１１は、フック１２の延設方向の長さ、すなわち、縦方向の長さが、吊具本体２の固定プレート４よりも若干長くなっている。
【００３４】
また、長孔２１には、その内周縁部に、ネジｓなどの固着具の仮保持を可能とする固着具仮保持片２２が設けられている。固着具仮保持片２２は、樹脂やゴムなどの弾力性を有する材料から形成することができ、長孔２１の内側において左右に離間して配置されている固定具仮保持片２２の間に固着具を一時的に保持するものである。このため、固着具仮保持片２２が存在する部分の長孔２１の幅が、固着具の外径よりも狭くなっている。
【００３５】
このような固着具仮保持片２２には、たとえば、固着具の取付けを阻害しないように、プレート本体１１よりも厚さの薄いものを採用することができ、この場合、プレート本体１１の厚さ方向の中央部に配置することができる。
【００３６】
以上の軒樋吊具１を鼻隠しなどの取付部位に取り付ける際には、吊具本体２とフック付きプレート３が一体に組み付けられる。
【００３７】
図４（ａ）、（ｂ）、（ｃ）は、それぞれ、図１に示した軒樋吊具の組み付け方法を示した工程側面図である。図５は、図１に示した軒樋吊具の組み付け状態を示した斜視図である。
【００３８】
図４（ａ）に示したように、吊具本体２の固定プレート４の上端部を、プレート本体１１において上側に位置する吊具保持片１７ｂの内側に、吊具保持片１７ｂの下側から差し込む。このとき、吊具本体２は、アーム５が斜め上方に向かうように傾け、固定プレート４の上端部を吊具保持片１７ｂの下側から差し込む。
【００３９】
次いで、図４（ｂ）に示したように、吊具本体２を下方に回動させ、固定プレート４の上端部をプレート本体１１の上端部と吊具保持片１７ｂの縦片１９との間に滑り込ませ、また、固定プレート４の上端が、吊具保持片１７ｂの横片１８に接触するように上方へと少し押し込むようにする。吊具保持片１７ｂでは、縦片１９の先端部に前から後に向かって斜め上方に傾斜する傾斜面２０ｂが形成されているので、固定プレート４の上端部は、傾斜面２０ｂにともなわれてスムーズに吊具保持片１７ｂの内側に入り込む。また、吊具保持片１７ａには、縦片１９の先端部に前から後に向かって斜め上方に傾斜する傾斜面２０ａが形成されているので、吊具本体２の下方回動の際に、固定プレート４の下端部が、プレート本体１１において下側に位置する吊具保持片１７ａの縦片１９に突き当たり、回動不能となることはない。さらに、固定プレート４が、吊具保持片１７ａ、１７ｂの縦片１９によって傷付くことはほとんどない。
【００４０】
この後、図４（ｃ）に示したように、吊具本体２を引き降ろし、固定プレート４の下端部を、吊具保持片１７ａの内側に滑り込ませる。固定プレート４の下端が吊具保持片１７ａの横片１８に接触し、固定プレート４の上端部が吊具保持片１７ｂに係止されるとともに、下端部が吊具保持片１７ａに係止され、固定プレート４は、プレート本体１１に当接する。
【００４１】
このとき、プレート本体１１に形成された長孔２１は、固定プレート４に形成された固着具挿入孔１０に対向して配置される。
【００４２】
こうして、吊具本体２の固定プレート４が上下の吊具保持片１７ｂ、１７ａの間に挿入され、固定プレート４の上下両端部が、それぞれ、吊具保持片１７ｂ、１７ａに係止され、吊具本体２とフック付きプレート３が一体となり、固着具挿入孔１０と長孔２１が連通する。吊具保持片１７ａ、１７ｂの先端部には、固定プレート４の挿入方向に沿って前から後に斜めに傾斜する傾斜面２０ａ、２０ｂが形成されているので、吊具本体２の挿入は容易に行われる。
【００４３】
吊具本体２およびフック付きプレート３は、そのように一体に組み付けられた状態において鼻隠しなどの取付部位に取り付けることができる。したがって、フック付きプレート３を吊具本体２と鼻隠しなどの取付部位との間に強く押さえつけながら取付作業を行わなくて済み、軒樋吊具１の鼻隠しなどの取付部位への施工性が良好となり、また、固着具の不意の落下が起こりにくくもなり、取付作業は容易となる。
【００４４】
また、フック付きプレート３は、吊具本体２とともに鼻隠しなどの取付部位に固定されるので、フック付きプレート３の露出面積が十分に抑えられ、フック付きプレート３が目立つことはほとんどない。しかも、フック１２が、吊具本体２の一部であるように視認され、建物の外観に支障はほとんどきたさない。
【００４５】
さらに、プレート本体１１は、フック１２の延設方向の長さ、すなわち、縦方向の長さが、吊具本体２の固定プレート４よりも若干長くなっているので、フック付きプレート３を吊具本体２の係止を解除せずに吊具本体２に対して上下にずらすことができる。フック付きプレート３の固定位置の調整が可能であり、したがって、フック１２に吊持する物品の高さを軒樋吊具１の配置位置に制限されずに所望の高さとすることができる。物干し竿、すだれなどの長尺物を吊り下げる場合、軒樋の排水勾配に制限を受けずに水平に長尺物を屋根の軒下に吊り下げることがでる。このため、物干し竿、すだれなどの長尺物の機能に障害が生じるのを抑制することができる。また、一般住宅では、電飾などの季節の飾り付け、小さなプランターなどの吊り下げも、店舗などでは、看板や電飾などの吊下げも支障なく行うことができる。
【００４６】
なお、長尺物を軒下に吊り下げる際には、長尺物に取り付けた紐やワイヤーなどをフック１２に引っ掛けるようにすると、吊り下げを容易に行うことができる。
【００４７】
さらにまた、固着具仮保持片２２が存在する部分の長孔２１の幅は、固着具の外径よりも狭くなっている。また、固着具挿入孔１０は、固着具の挿入を容易とするため、一般に、固着具の外径よりも大きくなっている。このため、固着具仮保持片２２が存在する部分の長孔２１の幅は、固着具挿入孔１０の外径よりも小さく、したがって、固着具の吊具本体２からの挿入を容易としつつ、固着具の一時的な保持が可能となる。
【００４８】
図６は、図１に示した軒樋吊具による軒樋の吊持について示した要部断面図である。
【００４９】
上記のとおり、軒樋吊具１は、建物の屋根Ｒの軒先Ｅに取り付けられた鼻隠し２３に、ネジｓなどの固着具を固着具挿入孔１０から長孔２１を通じて取り付けることによって、固定されている。
【００５０】
軒樋２４は、上端に前耳部２５が設けられ、前耳部２５との間の上端部に係合溝２６を形成している前壁部２７と、前壁部２７に対向して配置され、上方にまっすぐに延びている後壁部２８と、前壁部２７と後壁部２８を各々の下縁において接続する底壁部２９とを備えている。また、軒樋２４は、上端に位置する開口３０において上方に開放している。後壁部２８の上端には後耳部３１が設けられ、後耳部３１の下端部にも係合溝３２が形成されている。
【００５１】
このような軒樋２４を軒先Ｅに取り付ける際には、軒樋２４を軒樋吊具１の下方からあてがい、後耳部３１に形成された係合溝３２に吊具本体２の後耳係止部７を差し込み、軒樋２４を前方上側に回動させるようにして底壁当接部８の下端を底壁部２９の内面に当接させる。また、係合溝２６に吊具本体２の前耳係止部６を挿入する。こうして、前耳係止部６によって前耳部２５が係止されるとともに、後耳係止部７によって後耳部３１が係止され、軒樋２４は、吊具本体２のアーム５に係止されて吊持され、建物の屋根Ｒの軒先Ｅに取り付けられる。
【００５２】
本発明は、以上の実施形態によって限定されるものではない。上記のとおり、吊具本体には、既知のものを含め、固定プレートおよびアームを備えている限り、多種多様なものを採用することができる。また、吊具本体およびフック付きプレートを形成する材料の種類にも特に制限はなく、既知のものを含め、様々なものを広く適用することができる。
【符号の説明】
【００５３】
１  軒樋吊具
２  吊具本体
３  フック付きプレート
４  固定プレート
５  アーム
１０  固着具挿入孔
１１  プレート本体
１２  フック
１７ａ、１７ｂ  吊具保持片
２０ａ、２０ｂ  傾斜面
２１  長孔
２２  固着具仮保持片
２４  軒樋
【図１】
2011127336.tif 000003
【図２】
2011127336.tif 000004
【図３】
2011127336.tif 000005
【図４】
2011127336.tif 000006
【図５】
2011127336.tif 000007
【図６】
2011127336.tif 000008